(57)【要約】【課題】重ねた状態の外側カバーのヒーターによる内側カバーの加熱や焼き付きを防止する。【解決手段】入れ子式カバー内でヒーターの加熱により遠赤外線を照射する温熱健康器において、外側カバー２内のヒーター６ａ、６ｂをＯＮ状態で通電するマグネットスイッチ１０を外側カバー２のスライドレール８の内側面８１に設け、マグネットスイッチ１０の磁石１０２が吸着してＯＮ状態からＯＦＦ状態へ切り替える細長板１１を、スライドレール８と係合する内側カバー３のスライドレール９の外側面９１に軸方向へ延設し、内側カバー３にヒーター６ａ、６ｂが重ねられた場合に、磁石１０２の細長板１２の吸着でマグネットスイッチ１０がヒーター６ａ、６ｂの通電を切断する温熱健康器。【選択図】図６
2006061530.tif 000002
【特許請求の範囲】
【請求項１】
入れ子式カバーにヒーターを内設し、該入れ子式カバー内でヒーターの加熱により遠赤外線を照射する温熱健康器において、外側カバー内のヒーターをＯＮ状態で通電するマグネットスイッチを外側カバーの底部近傍に設け、該マグネットスイッチの磁石を吸引若しくは反発してＯＮ状態からＯＦＦ状態へ切り替える切替体を内側カバーの底部近傍に軸方向へ延設し、内側カバーにヒーターが重ねられた外側カバーのマグネットスイッチを該切替体でＯＦＦ状態にすることを特徴とする温熱健康器。
【請求項２】
外側カバーのスライドレールの内側面に前記マグネットスイッチを設け、該外側カバーのスライドレールと係合する内側カバーのスライドレールの外側面に前記切替体を設けることを特徴とする請求項１記載の温熱健康器。
【請求項３】
前記外側カバー内に区画される複数のヒーター領域を軸方向に並べて設け、各ヒーター領域の通電に対応する複数のマグネットスイッチを設けることを特徴とする請求項１、２又は３記載の温熱健康器。
【請求項４】
係合する一方のスライドレールと他方のスライドレールを有し、一方のスライドレールにマグネットスイッチを設け、他方のスライドレールに強磁性体若しくは反磁性体の細長板を延設し、該マグネットスイッチの磁石を該細長板が吸引若しくは反発する位置まで該マグネットスイッチと該細長板が近付くように一方若しくは他方のスライドレールを滑動して、該マグネットスイッチの通電をＯＮ状態若しくはＯＦＦ状態とすることを特徴とするスイッチング機構。
【請求項５】
略前部に磁石が設けられたレバーを略後部で軸支し、該レバーの後端を検知ボタンの上方近傍若しくは下方近傍に配置し、強磁性体若しくは反磁性体と該レバーの磁石とを吸引若しくは反発する位置まで近付けることにより、該レバーの後端が該検知ボタンを押すことを特徴とするスイッチング機構。
【発明の詳細な説明】
【技術分野】
【０００１】
本発明は、主として、入れ子式カバー内の略密閉空間で利用者に遠赤外線を照射し、利用者の発汗・血行・新陳代謝を促進して健康増進を図る温熱健康器に関する。
【背景技術】
【０００２】
入れ子式カバー内の略密閉空間で利用者に遠赤外線を照射する温熱健康器に関する公知技術として、例えば特許文献１がある。特許文献１の温熱健康器は、内側カバーの両側底部に外側方に突出する内側レールを軸方向に延設し、外側カバーの両側底部に外側レールを軸方向に延設し、内側レールの突出部分の支持面と支持面に載置して支持される外側レールの載置面の摩擦抵抗をニスの塗布等で小さくして外側レールを滑動可能にし、更に、外側レールに接地しない下方への突出部を設け、良好な滑動を確保すると共に幅方向への移動を規制する構成が開示されている。
【０００３】
【特許文献１】特開２００４−４９５９９号公報
【発明の開示】
【発明が解決しようとする課題】
【０００４】
ところで、通常の温熱健康器は、入れ子式カバーの外側カバーと内側カバーのそれぞれにヒーターが内設されており、不使用時に外側カバーを内側カバーに重ねた状態では、外側カバーのヒーターが内側カバーの外面近くに配置される。そのため、誤ってヒーターを消し忘れた場合には、外側カバーのヒーターで内側カバーが加熱され、内側カバーの焼き付きが生ずる危険性があった。
【０００５】
本発明は上記課題に鑑み提案するものであって、外側カバーのヒーターを内側カバーに重ねた場合に自動的に外側カバーのヒーターのスイッチを切ることが可能であり、重ねた状態の外側カバーのヒーターによる内側カバーの加熱や加熱による内側カバーの焼き付きを防止することができる温熱健康器を提供することを目的とする。
【課題を解決するための手段】
【０００６】
本発明の温熱健康器は、入れ子式カバーにヒーターを内設し、入れ子式カバー内でヒーターの加熱により遠赤外線を照射する温熱健康器において、外側カバー内のヒーターをＯＮ状態で通電するマグネットスイッチを外側カバーの底部近傍に設け、マグネットスイッチの磁石を吸引若しくは反発してＯＮ状態からＯＦＦ状態へ切り替える切替体を内側カバーの底部近傍に軸方向へ延設し、内側カバーにヒーターが重ねられた外側カバーのマグネットスイッチを該切替体でＯＦＦ状態にすることを特徴とする。前記切替体は、強磁性体若しくは反磁性体の細長板とすると好適である。
【０００７】
更に、本発明の温熱健康器は、外側カバーのスライドレールの内側面にマグネットスイッチを設け、外側カバーのスライドレールと係合する内側カバーのスライドレールの外側面に切替体を設けることを特徴とする。
【０００８】
更に、本発明の温熱健康器は、外側カバー内に区画される複数のヒーター領域を軸方向に並べて設け、各ヒーター領域の通電に対応する複数のマグネットスイッチを設けることを特徴とする。
【０００９】
また、本発明のスイッチング機構は、係合する一方のスライドレールと他方のスライドレールを有し、一方のスライドレールにマグネットスイッチを設け、他方のスライドレールに強磁性体若しくは反磁性体の細長板を延設し、マグネットスイッチの磁石を細長板が吸引若しくは反発する位置までマグネットスイッチと細長板が近付くように一方若しくは他方のスライドレールを滑動して、マグネットスイッチの通電をＯＮ状態若しくはＯＦＦ状態とすることを特徴とする。前記スイッチング機構は、温熱健康器以外の各種の装置や器具に利用することが可能である。
【００１０】
また、本発明のスイッチング機構は、前端など略前部に磁石が設けられたレバーを中央より後ろ側の略後部で軸支し、該レバーの後端を作動ボタン等の検知ボタンの上方近傍若しくは下方近傍に配置し、強磁性体若しくは反磁性体と該レバーの磁石とを吸引若しくは反発する位置まで近付けることにより、該レバーの後端が該検知ボタンを押すことを特徴とする。前記構成では、梃子の原理でレバー後端（作用点）が検知ボタンを押す力や接触状態を維持する力が大きく、例えば通電の切り替えを行う際に、電流が大きい場合にも確実なＯＮ、ＯＦＦ制御を行うことができる。更に、前記スイッチング機構は、構造が簡単である、小型である、安価である、検出・応答動作・作動切替を磁石と吸引或いは反発対象である強磁性体や反磁性体と非接触で行える等のメリットを有し、温熱健康器以外の多様な装置や器具にも利用可能である。
【発明の効果】
【００１１】
本発明の温熱健康器は、外側カバーを内側カバーへ向かって移動し、外側カバーのヒーターが内側カバーに重なった状態で自動的に外側カバーのヒーターのマグネットスイッチを切ることが可能であり、重ねた状態の外側カバーのヒーターによる内側カバーの加熱や加熱による内側カバーの焼き付きを防止することができる。
【００１２】
更に、外側カバーと内側カバーのスライドレールを係合することで、外側カバーと内側カバーの位置ズレを防止してスムーズな滑動を確保することができると共に、これらのスライドレールの内外側面にマグネットスイッチと切替体を設けることで、外側カバーの滑動に伴ってマグネットスイッチを確実に切替体に近付けてＯＦＦ状態にすることができる。
【００１３】
更に、外側カバー内の複数のヒーター領域のそれぞれに対応してマグネットスイッチを設けることで、各ヒーター領域の区画毎にヒーターの通電制御を行うことが可能であり、内側カバーに重なったヒーター領域だけＯＦＦ状態にし、内側カバーの加熱や焼き付きを防止することができると共に、身長の低い人や胸部より下の部分にだけ遠赤外線を照射する等、部分的なヒーター領域を使用する多様な温熱健康器の利用が可能となる。
【００１４】
また、本発明のスイッチング機構は、スライドレールが係合滑動する各種の装置や器具に於いて、簡単且つ安価な構成で確実なＯＮ・ＯＦＦ制御を行うことができる。
【発明を実施するための最良の形態】
【００１５】
以下、本発明の温熱健康器の実施形態について説明する。
【００１６】
本実施形態の温熱健康器１は、例えばベッド上に敷設した遠赤外線の反射シート上に設けられ、外側カバー２の前端に設けられるネックカバーを閉じて略密閉空間を形成し、外側カバー２及び内側カバー３のヒーター６ａ〜６ｄで横臥する利用者に加温及び遠赤外線を照射して利用するものであり、図１〜図４に示すように、略半円筒形の外側カバー２と、略有底円筒形で外側カバー２よりも径が小さい内側カバー３とが入れ子式に設けられ、外側カバー２が内側カバー３に対して軸方向に移動して伸長・収縮するようになっている。
【００１７】
伸長状態の外側カバー２は、その後部が内側カバー３の外側周囲に距離を置いて重なり（図１参照）、外側カバー２の後端に周設されたスペーサ４で外側カバー２と内側カバー３との間が閉塞されるようになっており、また、伸長状態から収縮状態へ移行する際には、外側カバー２のスペーサ４が内側カバー３の外周面に摺接しながら外側カバー２が後述するスライドレール８（移動レール）で滑動するようになっており（図２参照）、また、収縮状態の外側カバー２は、その略全体が内側カバー３の外側周囲に距離を置いて重なるようになっている（図３参照）。
【００１８】
外側カバー２の内部には、保持部５が周設されていると共に、前部から略中央部にかけてヒーター６ａ、略中央部から略後部にかけてヒーター６ｂが周設され、遠赤外線を照射するヒーター６ａ、６ｂはそれぞれ保持部５に固定され保持されている。外側カバー２の保持部５の先端で構成される径は内側カバー３の外周径より若干大きくなっており、外側カバー２の内側カバー３に対するスムーズな軸方向の滑動を確保している。また、内側カバー３の内部にも、保持部５が周設されていると共に、前部から略中央部にかけてヒーター６ｃ、略中央部から略後部にかけてヒーター６ｄが周設され、遠赤外線を照射するヒーター６ｃ、６ｄは保持部５や内側カバー３の底板７に固定され保持されている。ヒーター６ａ〜６ｄは、図に省略した配線構造で通電及びＯＮ・ＯＦＦ制御される。
【００１９】
外側カバー２の底部には、図１〜図４に示すように、軸方向に沿って断面略Ｌ字形のスライドレール８（移動レール）が固設され、スライドレール８の外方へ凹んだ上部の内側面８１にはマグネットスイッチ１０が内設されている。また、内側カバー３の底部には、軸方向に沿って断面略Ｌ字形のスライドレール９（固定レール）が固設され、スライドレール９の外方に突出した上部の外側面９１には鋼製の細長板１１が軸方向に延びて固着され添設されている。細長板１１の先端はヒーター６ｂの後端に対応する位置に配設されている。そして、内側カバー３のスライドレール９は、図４に示すように、ベッドを挟む下方への屈曲部を有する断面視略Ｌ字形で軸方向に延びているガイドレール１２にネジ止め等で底面９２を固着され、その外側に外側カバー２のスライドレール８が、例えば２ｍｍ程度の若干の隙間を介して断面視略鉤形に略係合する位置に配設される。
【００２０】
スライドレール８、９の前記断面視略鉤形部分など相互に接触可能な領域は、例えば木材製のスライドレール８、９にニスを塗布する等、摩擦抵抗の少ない表面を有し、また、外側カバー２のスライドレール８の底面８２やガイドレール１２の上表面１２１の接触領域も、摩擦抵抗の少ない素材や摩擦抵抗を減じる表面処理等で、摩擦抵抗の少ない表面を有し、スライドレール８のスムーズな軸方向への滑動を確保している。
【００２１】
マグネットスイッチ１０は、図１〜図３に示すように、ヒーター６ａの後端に略対応する箇所とヒーター６ｂの後端に略対応する箇所に設けられ、略中央に位置するマグネットスイッチ１０はヒーター６ａの通電のＯＮ・ＯＦＦ制御、略後部に位置するマグネットスイッチ１０はヒーター６ｂの通電のＯＮ・ＯＦＦ制御を担う。即ち、図１の状態では両マグネットスイッチ１０がＯＮとなりヒーター６ａ及び６ｂに通電され、図１から図２の状態では略後部のマグネットスイッチ１０がＯＦＦとなりヒーター６ｂの通電が切られ且つヒーター６ａが通電され、図２から図３の状態では両マグネットスイッチ１０がＯＦＦとなりヒーター６ａ及び６ｂの通電が切られるようになっている。
【００２２】
マグネットスイッチ１０は、図５及び図６に示すように、外側カバースライドレール８の内側面８１のスイッチカバー１０１内に収容されており、略前部に永久磁石である磁石１０２を有するレバー１０３の略後部が取付板１０４の軸支部１０３ａで軸支され、レバー１０３の後端１０３ｂが作動ボタン１０５の上方近傍に配置される。そして、磁石１０２が細長板１１を吸着してスライドレール９の方へ回動した際に、レバー１０３の磁石１０２の前端やその近傍領域が力点となり、前記軸支部１０３ａ（支点）を中心にレバー１０３の後端１０３ｂ（作用点）が逆方向へ回動して作動ボタン１０５を押すようになっており、梃子の原理によりレバー１０３の後端１０３ｂは作動ボタン１０５を強力且つ安定して押圧するようになっている。
【００２３】
前記構成では、軸支部１０３ａ（支点）と磁石１０２或いはレバー１０３の前端やその近傍領域（力点）との距離、若しくは軸支部１０３ａ（支点）と作動ボタン１０５を押すレバー１０３の後端１０３ｂ（作用点）との距離、若しくは磁石の磁力強度を適宜大きく或いは小さくする調整により、又はこれらの組み合わせの調整により、必要な電力を安定して切り替えられるマグネットスイッチ１０を構成することができる。特に、前記支点と力点との距離を大きくする調整や、前記支点と作用点との距離を小さくする調整や、磁石１０２の材質を磁力強度が高いものにするなど磁力強度を大きくする調整や、或いはこれらの適宜の組み合わせの調整を行うと、レバー後端１０３ｂ（作用点）が作動ボタン１０５を押し、接触状態を維持する力を高められ、電流が大きい場合にも確実な作動やＯＮ、ＯＦＦ制御を行うことができる。更に、磁石１０２の磁力強度を大きくする場合には、マグネットスイッチ１０の磁石１０２と細長板１１等の磁石１０２の吸着対象物間の非吸着時や吸着時に於ける距離を長くすることができる。更に、前記支点と作用点との距離を小さくする調整による場合にはマグネットスイッチ１０の小型化を図ることができ好適である。尚、マグネットスイッチ１０は、構造が簡単、小型、安価、検出・応答動作・作動切替を細長板１１と磁石１０２が非接触で行える等のメリットを有し、温熱健康器以外にも利用可能であり、その用途は多様である。
【００２４】
作動ボタン１０５はスナップアクション機構を有する板バネ部材１０６の一端に取り付けられ、板バネ部材１０６の他端には可動接点１０７が設けられており、可動接点１０７は、磁石１０２の細長板１１の吸着が生じていない状態に於いて、板バネ部材１０６の弾性で固定端子１０８の接点１０９に付勢され接続されている。更に、板バネ部材１０６は前記一端の近傍でコモン端子１１０に接続されており、コモン端子１１０と固定端子１０８の板バネ部材１０６を介した接続により、図に省略した配線構造に基づきヒーター６ａ或いは６ｂが通電され発熱するようになっている。
【００２５】
また、可動接点１０７の下方近傍には、固定端子１１１の接点１１２が配設されており、磁石１０２の細長板１１の吸着で作動ボタン１０５が押された場合、スナップアクション機構を有する板バネ部材１０６が逆方向にはね返ってスライドレール９の逆側に可動接点１０７を付勢し、可動接点１０７が固定端子１１１の接点１１２に接続され、コモン端子１１０と固定端子１１１の板バネ部材１０６を介した接続及びコモン端子１１０と固定端子１０８の接続解除で、ヒーター６ａ或いは６ｂの通電が切断されるようになっている。
【００２６】
上記実施形態の温熱健康器１は、図に省略した電源から電力を供給され、マグネットスイッチ１０とは別途に設けられるスイッチで通電すると、図に省略した配線構造を介してヒーター６ａ〜６ｄに通電される。この際、図１の状態では両マグネットスイッチ１０がＯＮ状態に基づきヒーター６ａ〜６ｄが発熱し、図２の状態では略中央部のマグネットスイッチ１０のＯＮ状態及び略後部のマグネットスイッチ１０のＯＦＦ状態に基づきヒーター６ｂ〜６ｄが発熱し、図３の状態では両マグネットスイッチ１０のＯＦＦ状態に基づきヒーター６ｃ、６ｄのみが発熱する。即ち、内側カバー３の外側上方に位置する外側カバー２のヒーターの通電では絶えず切られ、内側カバー３の外側からの加熱が防止されるようになっている。
【００２７】
尚、上記実施形態では、外側カバー２の軸方向に設けるヒーターやマグネットスイッチ１０の個数を２個としたが、単数或いは２以外の複数個とすることが可能であり、複数個とする場合には区分されるヒーター領域とマグネットスイッチの個数を対応させ、各ヒーター領域の後端近傍に前記ヒーター領域の通電制御に対応するマグネットスイッチを設けると好適である。前記ヒーター領域やマグネットスイッチを複数設ける場合には、所望領域毎のヒーターの通電制御が可能となり、多様な温熱健康器の利用法を確保できる。また、マグネットスイッチ１０や細長板１１など磁石１０２で吸着或いは反発する切替板を設ける位置は、内側カバー３の外側近傍に重ねられた外側カバー２のヒーターの通電を前記吸着或いは反発で解除できる位置であれば適宜である。
【産業上の利用可能性】
【００２８】
本発明は、例えば入れ子式カバー内の略密閉空間で利用者に遠赤外線を照射する温熱健康器に利用することができる。
【図面の簡単な説明】
【００２９】
【図１】外側カバーを伸長した状態の温熱健康器を示す縦断面図。
【図２】外側カバーを内側カバーに途中まで重ねた状態の温熱健康器を示す縦断面図。
【図３】外側カバーを内側カバーに重ねた状態の温熱健康器を示す縦断面図。
【図４】外側カバーと内側カバーのスライドレールを示す縦断面図。
【図５】ＯＮ状態のマグネットスイッチの部分を示す横断説明図。
【図６】ＯＦＦ状態のマグネットスイッチの部分を示す横断説明図。
【符号の説明】
【００３０】
１  温熱健康器
２  外側カバー
３  内側カバー
４  スペーサ
５  保持部
６ａ〜６ｄ  ヒーター
７  底板
８、９  スライドレール
８１  内側面
９１  外側面
１０  マグネットスイッチ
１１  細長板
１２  ガイドレール
１０２  磁石
１０３  レバー
１０４  取付板
１０５  作動ボタン
１０６  板バネ部材
１０７  可動接点
１０８、１１１  固定端子
１０９、１１２  接点
１１０  コモン端子
【図１】
2006061530.tif 000003
【図２】
2006061530.tif 000004
【図３】
2006061530.tif 000005
【図４】
2006061530.tif 000006
【図５】
2006061530.tif 000007
【図６】
2006061530.tif 000008